(57)【要約】  便座に全く手を触れることなく、簡単な機構で便座の開閉を行うことができる便座開閉機構を提供する。便座開閉機構１００は、便器本体２の基端部側に設けられた便座回転軸３２を中心として、便器本体２の上面に据えられる便座閉位置から便座開位置まで回転可能に設けられた便座１０と、便座１０を覆う蓋閉位置から蓋開位置まで回転可能に便座１０に取り付けられた便座蓋２０と、蓋開位置で便座蓋２０を支持する蓋支持機構と、蓋支持機構により支持された便座蓋２０を下方に案内する蓋案内機構と、蓋閉位置から蓋開位置まで便座蓋２０を回転可能にするとともに、便座蓋２０の下方への移動により便座１０を便座開位置まで回転可能にする回転機構とを備える。
2015071950.tif 000002
【特許請求の範囲】
【請求項１】
便器本体の基端部側に設けられた便座回転軸を中心として、前記便器本体の上面に据えられる便座閉位置から便座開位置まで回転可能に設けられた便座と、
前記便座を覆う蓋閉位置から蓋開位置まで回転可能に前記便座に取り付けられた蓋と、
前記蓋開位置で前記蓋を支持する蓋支持機構と、
前記蓋支持機構により支持された前記蓋を下方又は上方に案内する蓋案内機構と、
前記蓋閉位置から前記蓋開位置まで前記蓋を回転可能にするとともに、前記蓋の下方又は上方への移動により前記便座を前記便座開位置まで回転可能にする回転機構と、
を備えた、便座開閉機構。
【請求項２】
前記回転機構は、
前記便座に設けられた第１の蓋回転軸と、
前記蓋に設けられた第２の蓋回転軸と、
前記第１の蓋回転軸と前記第２の蓋回転軸とを連結するリンク部材であって、前記第１の蓋回転軸を中心として前記便座に対して回転可能で前記第２の蓋回転軸を中心として前記蓋に対して回転可能なリンク部材と、
により構成される、請求項１に記載の便座開閉機構。
【請求項３】
前記蓋支持機構は、
前記便器本体に形成された係止面と、
前記蓋に形成されたヒンジ収容部と、
前記ヒンジ収容部に収容され前記蓋とともに回転可能な従動部と、前記蓋が前記蓋開位置にあるときに前記係止面に当接する当接面とを有するヒンジ部材と、
により構成される、請求項１又は２に記載の便座開閉機構。
【請求項４】
前記ヒンジ部材の従動部は、前記蓋の長手方向に沿って延び、
前記蓋のヒンジ収容部は、前記ヒンジ部材の従動部を摺動可能に収容し、
前記蓋案内機構は、前記ヒンジ部材の従動部と前記蓋のヒンジ収容部とにより構成される、
請求項３に記載の便座開閉機構。
【請求項５】
前記蓋支持機構は、前記蓋の表面に接触する係止面を有する支持台により構成される、請求項１又は２に記載の便座開閉機構。
【請求項６】
前記蓋案内機構は、前記支持台の係止面から連続して下方に延びるように形成された案内面により構成される、請求項５に記載の便座開閉機構。
【請求項７】
便座を覆う蓋閉位置から蓋開位置まで前記便座に取り付けられた蓋を回転させ、
前記蓋開位置で前記蓋を支持し、
前記支持された前記蓋を下方又は上方に移動させるとともに、前記蓋の下方又は上方への移動により、便器本体の基端部側に設けられた便座回転軸を中心として前記便器本体の上面に据えられる便座閉位置から便座開位置まで前記便座を回転させる、
便座開閉方法。
【請求項８】
前記蓋が前記蓋開位置にあり、前記便座が前記便座開位置にあるときに、前記蓋を上方又は下方に移動させるとともに、前記蓋の上方又は下方への移動により、前記便座回転軸を中心として前記便座開位置から前記便座閉位置まで前記便座を回転させる、請求項７に記載の便座開閉方法。
【発明の詳細な説明】
【技術分野】
【０００１】
本発明は、洋式腰掛便器における便座を開閉するための便座開閉機構及び便座開閉方法に係り、特に、便座の蓋（便座蓋）を利用して手動にて便座を開閉させる便座開閉機構及び便座開閉方法に関するものである。
【背景技術】
【０００２】
従来から、腰掛け可能とされる便器本体と、この便器本体の基端部（後部）側に回転（開閉）可能に固定された便座と、便器本体の基端側に回転可能に固定され、閉状態の便座に上方から当接可能に設けられた蓋（便座蓋）とを備えた洋式腰掛便器がある。【０００３】
ところで、このような洋式腰掛便器においては、例えば、便器を清掃するときや男性が使用する際には、便座の蓋（以下、「便座蓋」という）を開けるとともに、便座も開ける（持ち上げる）必要がある。【０００４】
しかしながら、他人が利用したと思われる便座を衛生上直接触りたくないという人も多い。すなわち、従来の洋式腰掛便器においては、便座の開閉時に、これらの不衛生な部材（便座）を手で握って上げ下げして開閉しなければならないので、衛生面において問題があった。【０００５】
このような問題を解決するために、従来から、例えば、便座及び便座蓋に側面側から連結され、把手を操作することにより便座や便座蓋を開閉する便座開閉装置が提案されている（例えば、特許文献１参照）。特許文献１の便座開閉装置においては、把手で便座を開閉するだけでなく、駆動モータを利用することも提案されている。【０００６】
また、便器の前に人が立ったことを検知する人検知センサと、便座及び便座蓋を開閉駆動する駆動手段と、便器の前に人が立ったことが人検知センサにより検知されると、駆動手段を作動させて、便座、あるいは便座及び便座蓋を自動的に開ける（持ち上げる）制御手段とを備えた便座／便座蓋自動開閉装置も提案されている（例えば、特許文献２参照）。【０００７】
しかしながら、従来の便座開閉装置においては、手動であるか自動であるかを問わず、複雑な構造を有するとともに、多くの部材を必要とするため、製造コストが増大するという問題があった。また、特許文献２に開示された便座／便座蓋自動開閉装置においては、複雑な制御をするために電気駆動の構造を有するため、手動の便座開閉装置と比べても製造コストが高くなるとともに、該開閉装置のランニングコストも必要となるという問題があった。
【先行技術文献】
【特許文献】
【０００８】
【特許文献１】特開平７−２５５６４２号公報（図１、図２）
【特許文献２】特開平６−９０８７６号公報（図１）
【発明の概要】
【発明が解決しようとする課題】
【０００９】
本発明は、このような従来技術の問題点に鑑みてなされたもので、洋式腰掛便器において、便座に全く手を触れることなく、簡単な機構で手動により便座の開閉を行うことができる便座開閉機構及び便座開閉方法を提供することを目的とする。
【課題を解決するための手段】
【００１０】
本発明の第１の態様によれば、便座に全く手を触れることなく、簡単な機構で手動により便座の開閉を行うことができる便座開閉機構が提供される。この便座開閉機構は、便器本体の基端部側に設けられた便座回転軸を中心として、上記便器本体の上面に据えられる便座閉位置から便座開位置まで回転可能に設けられた便座と、上記便座を覆う蓋閉位置から蓋開位置まで回転可能に上記便座に取り付けられた蓋と、上記蓋開位置で上記蓋を支持する蓋支持機構と、上記蓋支持機構により支持された上記蓋を下方又は上方に案内する蓋案内機構と、上記蓋閉位置から上記蓋開位置まで上記蓋を回転可能にするとともに、上記蓋の下方又は上方への移動により上記便座を上記便座開位置まで回転可能にする回転機構とを備えている。【００１１】
これにより、複雑な機構や電動の装置を用いる必要なく、便座に全く手を触れることなく、簡単な機構で手動により便座の開閉を行うことができる。【００１２】
上記回転機構が、上記便座に設けられた第１の蓋回転軸と、上記蓋に設けられた第２の蓋回転軸と、上記第１の蓋回転軸と上記第２の蓋回転軸とを連結するリンク部材であって、上記第１の蓋回転軸を中心として上記便座に対して回転可能で上記第２の蓋回転軸を中心として上記蓋に対して回転可能なリンク部材とにより構成されていることが好ましい。【００１３】
上記蓋支持機構が、上記便器本体に形成された係止面と、上記蓋に形成されたヒンジ収容部と、上記ヒンジ収容部に収容され上記蓋とともに回転可能な従動部と、上記蓋が上記蓋開位置にあるときに上記係止面に当接する当接面とを有するヒンジ部材とにより構成されていてもよい。【００１４】
この場合において、上記ヒンジ部材の従動部が、上記蓋の長手方向に沿って延びていてもよく、上記蓋のヒンジ収容部が、上記ヒンジ部材の従動部を摺動可能に収容していてもよい。このようにすれば、上記ヒンジ部材の従動部と上記蓋のヒンジ収容部とにより上記蓋案内機構を構成することができる。【００１５】
上記蓋支持機構が、上記蓋の表面に接触する係止面を有する支持台により構成されていてもよい。さらに、上記蓋案内機構が、上記支持台の係止面から連続して下方に延びるように形成された案内面により構成されていてもよい。【００１６】
本発明の第２の態様によれば、便座に全く手を触れることなく、簡単な機構で手動により便座の開閉を行うことができる便座開閉方法が提供される。この便座開閉方法では、便座を覆う蓋閉位置から蓋開位置まで上記便座に取り付けられた蓋を回転させ、上記蓋開位置で上記蓋を支持し、上記支持された上記蓋を下方又は上方に移動させるとともに、上記蓋の下方又は上方への移動により、便器本体の基端部側に設けられた便座回転軸を中心として上記便器本体の上面に据えられる便座閉位置から便座開位置まで上記便座を回転させる。これにより、便座に全く手を触れることなく、簡単に便座を開ける（持ち上げる）ことができる。【００１７】
また、上記蓋が上記蓋開位置にあり、上記便座が上記便座開位置にあるときに、上記蓋を上方又は下方に移動させるとともに、上記蓋の上方又は下方への移動により、上記便座回転軸を中心として上記便座開位置から上記便座閉位置まで上記便座を回転させることができる。これにより、便座に全く手を触れることなく、簡単に便座を閉じることができる。
【発明の効果】
【００１８】
本発明によれば、洋式腰掛便器において、便座に全く手を触れることなく、簡単な機構で手動により便座の開閉を行うことができる。
【図面の簡単な説明】
【００１９】
【図１】図１は、本発明の一実施形態における便座開閉機構を有する洋式腰掛便器を示す斜視図である。
【図２】図２は、図１の便座開閉機構の主要部の拡大図である。
【図３】図３は、図２に示す便座開閉機構の台座を便座とともに示す右側面図である。
【図４】図４は、図１の便座開閉機構の便座蓋が蓋閉位置にあるときの台座及び便座蓋を示す断面図である。
【図５】図５は、図４に示す便座蓋が蓋開位置にあるときの台座及び便座蓋を示す断面図である。
【図６】図６は、図５に示す便座蓋を押し下げたときの台座及び便座蓋を示す断面図である。
【図７】図７は、図５に示す状態における便座及び便座蓋を示す模式図である。
【図８】図８は、図６に示す状態における便座及び便座蓋を示す模式図である。
【図９】図９は、本発明の他の実施形態における便座開閉機構を有する洋式腰掛便器を示す側面図である。
【発明を実施するための形態】
【００２０】
以下、本発明に係る便座開閉機構及び便座開閉方法の実施形態について図１から図９を参照して詳細に説明する。なお、図１から図９において、同一又は相当する構成要素には、同一の符号を付して重複した説明を省略する。
【００２１】
図１は、本発明の一実施形態における便座開閉機構１００を有する洋式腰掛便器（以下、単に「便器」と称する場合もある）１を示す斜視図である。図１に示すように、本実施形態の便座開閉機構１００は、便器本体２の上に設置されるものであり、便座１０と、便座蓋（以下、単に「蓋」ともいう）２０と、便座１０を便器本体２に取り付けるための台座３０とを含んでいる。なお、図１は、便座開閉機構１００の便座蓋２０が蓋開位置に位置している状態を示している。
【００２２】
図２は、図１の状態における便座開閉機構１００の主要部の拡大図であり、一部は分解図となっている。図３は台座３０を便座１０とともに示す右側面図である。図２及び図３に示すように、台座３０は、便器本体２の基端部側に固定して設けられ、略円柱を縦に半分割した構造を有する。図２及び図３に示すように、この台座３０の両側面には、便座１０を開閉（回転）させるための便座回転軸３２が延出して形成されている。図２に示すように、台座３０の便座回転軸３２に対応して、便座１０には便座回転軸３２を収容する便座回転軸受部１２が形成されている。この便座回転軸受部１２内に便座回転軸３２が回転自在に収容されており、便座回転軸受部１２と便座回転軸３２とによって、便座１０が開閉（回転）可能となっている。すなわち、便座１０は、便座回転軸受部１２に収容された台座３０の便座回転軸３２を中心に、便器本体２に当接している状態である便座閉位置から、蓋開位置にある便座蓋２０に略接する便座開位置までの略９０°回転することができるようになっている。このように、便座１０は、便座回転軸３２を介して、便器本体２に対して略９０°回転可能に台座３０に固定されている。なお、図１に示す状態では、便座１０は、便器本体２の上面に据えられる便座閉位置に位置している。
【００２３】
また、図２に示すように、便座１０の基端部の両側面には、便座蓋２０を蓋閉位置から蓋開位置まで回転させる回転機構６０が設けられている。この回転機構６０は、便座１０の基端部の両側面から側方に延出する第１の蓋回転軸６２と、この第１の蓋回転軸６２に回転自在に取り付けられたリンク部材６４と、リンク部材６４から側方に延出する第２の蓋回転軸６６と、便座蓋２０に形成された軸孔６８とを含んでいる。便座蓋２０に形成された軸孔６８には、第２の蓋回転軸６６が挿通される。
【００２４】
リンク部材６４は、第１の蓋回転軸６２と第２の蓋回転軸６６とを連結するものである。リンク部材６４は、第１の蓋回転軸６２を中心として便座１０に対して回転可能となっており、また、第２の蓋回転軸６６を中心として便座蓋２０に対して回転可能となっている。なお、第１の蓋回転軸６２の軸方向は便座回転軸３２の軸方向からずれている。また、第２の蓋回転軸６６の軸方向は、第１の蓋回転軸６２の軸方向からずれており、便座回転軸３２の軸方向からもずれている。
【００２５】
このような回転機構６０により、便座蓋２０は、便座閉位置にある便座１０に当接して、便座１０を覆った状態となる蓋閉位置から、開状態で保持される蓋開位置までの略９０°回転することができる。すなわち、便座蓋２０は、便器本体２に対して略９０°回転可能に便座１０に固定されている。
【００２６】
図４は、台座３０と便座蓋２０とを含む断面図であり、便座蓋２０が蓋閉位置にある状態を示している。図４に示すように、台座３０には水平に延びる平坦な係止面３４が形成されており、係止面３４の上方には縦断面形状が略Ｌ字状であるヒンジ部材４１が配置されている。このヒンジ部材４１は、軸４３を中心として回転可能に台座３０に固定されている。
【００２７】
ヒンジ部材４１は、便座蓋２０の長手方向に沿って延びる従動部４４を有している。これに対応して、便座蓋２０の便器本体２に面する側には、ヒンジ部材４１の従動部４４を摺動可能に収容するヒンジ収容部４２が形成されている。したがって、ヒンジ部材４１の従動部４４は、便座蓋２０の回転に伴って便座蓋２０とともに回転するようになっている。なお、このヒンジ収容部４２は、図２に示すように、便座蓋２０と一体的に形成されるものであってもよいし、便座蓋２０とは別の部材により形成されるものであってもよい。
【００２８】
また、ヒンジ部材４１は、従動部４４の端部から従動部４４に対して略垂直に延びる脚部４５を有している。脚部４５の端部には上述した軸４３が設けられている。図５は、便座蓋２０が蓋開位置にある状態を示している。便座蓋２０を図４に示す蓋閉状態から回転させていくと、最終的には、図５に示すようにヒンジ部材４１の脚部４５の当接面４５Ａが台座３０の係止面３４に当接する。これによりヒンジ部材４１が台座３０に支持される。このとき、ヒンジ部材４１の従動部４４は便座蓋２０のヒンジ収容部４２に係合しており（図５では、便宜上、ヒンジ部材４１の従動部４４がヒンジ収容部４２に接触していないように示されているが、実際は接触するものである）、これにより便座蓋２０が台座３０に対して支持される。すなわち、本実施形態においては、台座３０の係止面３４とヒンジ部材４１と便座蓋２０のヒンジ収容部４２とにより、便座蓋２０を開けた状態（すなわち蓋開位置）において該便座蓋２０を支持する蓋支持機構が構成されている。
【００２９】
図５に示す状態において、ヒンジ部材４１の従動部４４の上方のヒンジ収容部４２には隙間４６が形成されている。この隙間４６が形成されていることにより、図５に示す状態から便座蓋２０を下方に押し下げることができる。すなわち、本実施形態のヒンジ収容部４２は、ヒンジ部材４１の従動部４４を摺動可能に収容するものである。したがって、ヒンジ部材４１の従動部４４をヒンジ収容部４２内で摺動させつつ、図６に示すように、便座蓋２０を蓋開位置に維持した状態で便座蓋２０を下方に押し下げることができる。ここで、ヒンジ部材４１の従動部４４の先端４４Ａは、便座蓋２０を下方に押し下げたときにヒンジ収容部４２の底部４２Ａと当接するようになっており、従動部４４の先端４４Ａとヒンジ収容部４２の底部４２Ａにより便座蓋２０のさらなる下方への移動が規制されている。
【００３０】
図７は、図５の状態における便座１０と便座蓋２０との関係を示す模式図であり、図８は、図６の状態における便座１０と便座蓋２０との関係を示す模式図である。図７に示す状態から便座蓋２０を下方に押し下げると、便座蓋２０は、第２の蓋回転軸６６及びリンク部材６４を介して第１の蓋回転軸６２の位置を下方に移動させる。これにより、便座１０は、図８に示すように、便座回転軸３２を中心として回転し、便座閉位置から便座開位置まで回転する。すなわち、図７に示す状態から便座蓋２０を下方に押し下げると、上述した回転機構６０によって便座１０が便座閉位置から便座開位置まで回転され、便座１０が開けられる（持ち上げられる）。このように、本実施形態では、第１の蓋回転軸６２とリンク部材６４と第２の蓋回転軸６６とによって構成される回転機構６０は、蓋閉位置から蓋開位置まで便座蓋２０を回転可能にする機能とともに、便座蓋２０の下方への移動により便座１０を便座開位置まで回転可能にする機能も有している。
【００３１】
次に、上記のような構成を有する便座開閉機構１００の動作、すなわち、本実施形態の便座開閉方法を説明する。ここでは図示を省略するが、便宜上、便座開閉機構１００（及び便器１）の利用者が必要に応じて手動にて便座開閉機構１００の便座蓋２０を操作することとなる。
【００３２】
本実施形態の便座開閉機構１００において、便座１０が便座閉位置にあり（図３）、便座蓋２０が蓋閉位置にある（図４）状態において、便器１を利用する利用者や便器１の清掃を行う清掃者は、まず、便座蓋２０を蓋閉位置から蓋開位置まで開ける（持ち上げる）。このとき、便座蓋２０は、上述した第１の蓋回転軸６２とリンク部材６４と第２の蓋回転軸６６とによって構成される回転機構６０を介して蓋閉位置から蓋開位置まで回動する（図５及び図７）。この状態では、便座蓋２０は蓋開位置に位置し、便座１０は便座閉位置に位置するが、上述したように、便座蓋２０は、ヒンジ部材４１とヒンジ収容部４２とによって構成される蓋支持機構により蓋開状態を保持することができる。
【００３３】
図５及び図７に示す状態において、利用者が便座蓋２０を下方に押し込むと、ヒンジ部材４１の従動部４４がヒンジ収容部４２の内面を摺動して、便座蓋２０が下方へと案内される。便座蓋２０は、ヒンジ部材４１の先端４４Ａがヒンジ収容部４２の底部４２Ａと当接するまで下方に移動するが、このとき、上述したように、便座蓋２０が第２の蓋回転軸６６及びリンク部材６４を介して第１の蓋回転軸６２の位置を下方に移動させるため、便座１０が便座回転軸３２を中心として便座閉位置から便座開位置まで回転する。これにより、図８に示すように、便座１０を開ける（持ち上げる）ことができる。
【００３４】
以上のように、本実施形態によれば、便座蓋２０を開けて（便座蓋２０を蓋開位置まで持ち上げて）、便座蓋２０を下方に押し込むことにより、便座１０に全く手を触れることなく、簡単に便座１０を開ける（持ち上げる）ことができる。
【００３５】
また、便座１０を便座開位置から便座閉位置に戻す際には、利用者は、便座蓋２０を上方に持ち上げると、ヒンジ部材４１の従動部４４がヒンジ収容部４２の内面を摺動して、便座蓋２０が上方へと案内される。このとき、便座蓋２０が第２の蓋回転軸６６及びリンク部材６４を介して第１の蓋回転軸６２の位置を上方に移動させるので、便座１０が便座回転軸３２を中心として便座開位置から便座閉位置まで回転する。これにより、便座１０を閉じることができる。
【００３６】
以上のように、本実施形態によれば、便座１０及び便座蓋２０がそれぞれ開位置にあるとき、単に便座蓋２０を上方に持ち上げるだけで、便座１０を便座開位置から便座閉位置に回転させることができる。したがって、便座蓋２０を上方に持ち上げることにより、便座１０に全く手を触れることなく、簡単に便座１０を閉じることができる。
【００３７】
その後、利用者は、必要に応じて、便座蓋２０を蓋開位置（図５）から蓋閉位置（図４）に戻す。
【００３８】
以上説明したように、上述した実施形態では、便座開閉機構１００は、便器本体２の基端部側に設けられた便座回転軸３２を中心として、便器本体２の上面に据えられる便座閉位置から便座開位置まで回転可能に設けられた便座１０と、便座１０を覆う蓋閉位置から蓋開位置まで回転可能に便座１０に取り付けられた便座蓋２０と、蓋開位置で便座蓋２０を支持する蓋支持機構と、蓋支持機構により支持された便座蓋２０を下方に案内する蓋案内機構と、蓋閉位置から蓋開位置まで便座蓋２０を回転可能にするとともに、便座蓋２０の下方への移動により便座１０を便座開位置まで回転可能にする回転機構６０とを備えた構成としている。このような構成によれば、蓋開位置にある便座蓋２０を下方に押し込むと、回転機構６０により便座１０が便座閉位置から便座開位置に回動する。したがって、本実施形態によれば、便座蓋２０を押し下げる（押し込む）ことにより、便座１０に全く手を触れることなく、簡単な機構で手動により便座１０の開閉を行うことができる。また、これとは逆に、便座１０及び便座蓋２０がそれぞれ開位置にあるとき、単に便座蓋２０を上方に持ち上げるだけで、便座１０を便座開位置から便座閉位置に回転させることができる。
【００３９】
なお、上述した実施形態では、便座回転軸３２が台座３０に設けられていたが、これに限られるものではない。便座回転軸３２を便座１０に設け、便座回転軸受部１２を台座３０に形成してもよい。また、第１の蓋回転軸６２は、リンク部材６４を便座１０に対して回転可能にするものであればよく、便座１０及びリンク部材６４のどちらに設けられていてもよい。同様に、第２の蓋回転軸６６は、リンク部材６４を便座蓋２０に対して回転可能するものであればよく、便座蓋２０及びリンク部材６４のどちらに設けられていてもよい。
【００４０】
上述の実施形態においては、便座蓋２０を蓋開位置に保持するために蓋支持機構が、台座３０に形成された係止面３４と便座蓋２０に形成されたヒンジ収容部４２とヒンジ部材４１とから構成され、蓋案内機構が、ヒンジ部材４１の従動部４４と便座蓋２０に形成されたヒンジ収容部４２とから構成される例を説明したが、蓋支持機構及び蓋案内機構の構成はこれに限られるものではない。例えば、図９に示すように、便座蓋２０の表面２０Ａに接触する係止面７０Ａを有する支持台７０により蓋支持機構を構成し、便座蓋２０が支持台７０の係止面７０Ａに係止することにより便座蓋２０を蓋開位置に保持してもよい。さらに、この場合において、支持台７０の係止面７０Ａから連続して下方に延びる案内面７０Ｂにより蓋案内機構を構成してもよい。すなわち、便座蓋２０が蓋開位置に位置する状態、すなわち、便座蓋２０の表面２０Ａが支持台７０の係止面７０Ａに係止して保持されている状態において、便座蓋２０を下方に押し込むと、便座蓋２０の表面２０Ａが支持台７０の係止面７０Ａに当接して、蓋開状態に支持された便座蓋２０が案内面７０Ｂを摺動して、便座蓋２０が下方へと案内されるようにしてもよい。なお、図９では、便宜上、便座蓋２０の表面２０Ａが支持台７０の係止面７０Ａに接触していないように示されているが、実際は接触するものである。
【００４１】
上述した実施形態では、便座蓋２０を蓋開位置に保持した後、便器１の利用者がこの便座蓋２０を略垂直方向下方に押し込むことにより、便座１０を便座閉位置から便座開位置に回動させる例を説明した。しかしながら、便器１の利用者は、便座蓋２０を押し込むために、便座蓋２０の所定部位（通常、便座蓋２０の基端部の反対側、すなわち、便座蓋２０の先端部）に触れる必要がある。このような状況を回避するために、例えば、便座蓋２０用の把手を便座蓋２０の先端部又は表面に設けるように構成してもよい。これにより、便座蓋２０そのものに全く触れずに把手を介して便座蓋２０を開閉させることができるとともに、本発明に係る便座開閉機構により便座１０をも開閉させることができる。特に、便座蓋２０の先端部に把手を設ければ、便座１０及び便座蓋２０がともに開位置にある状態から簡単に便座蓋２０を持ち上げる（引き上げる）ことができる。
【００４２】
また、上述した実施形態では、便器１の利用者が便座蓋２０を下方に押し込むと便座１０が便座閉位置から便座開位置に回動し、上方に持ち上げると便座１０が便座開位置から便座閉位置に回動した。しかしながら、便座回転軸３２に対して、第１の蓋回転軸６２、リンク部材６４、及び第２の蓋回転軸６６の位置関係を変更することによりこのような構成を変更してもよい。すなわち、便座蓋２０を下方に押し込むと便座１０が便座開位置から便座閉位置に回動し、便座蓋２０を上方に持ち上げると便座１０が便座閉位置から便座開位置に回動するように第１の蓋回転軸６２、リンク部材６４、及び第２の蓋回転軸６６を便座回転軸３２に対して配置してもよい。
【００４３】
これまで本発明の好ましい実施形態について説明したが、本発明は上述の実施形態に限定されず、その技術的思想の範囲内において種々異なる形態にて実施されてよいことは言うまでもない。
【産業上の利用可能性】
【００４４】
本発明は、洋式腰掛便器における便座を開閉するための便座開閉機構に好適に用いられる。
【符号の説明】
【００４５】
１    便器
２    便器本体
１０    便座
１２    便座回転軸受部
２０    便座蓋
２０Ａ  表面
３０    台座
３２    便座回転軸
３４    係止面
４１    ヒンジ部材
４２    ヒンジ収容部
４２Ａ  底部
４３    軸
４４    従動部
４４Ａ  先端
４５    脚部
４５Ａ  当接面
４６    隙間
６０    回転機構
６２    第１の蓋回転軸
６４    リンク部材
６６    第２の蓋回転軸
６８    軸孔
７０    支持台
７０Ａ  係止面
７０Ｂ  案内面
１００    便座開閉機構
【図１】
2015071950.tif 000003
【図２】
2015071950.tif 000004
【図３】
2015071950.tif 000005
【図４】
2015071950.tif 000006
【図５】
2015071950.tif 000007
【図６】
2015071950.tif 000008
【図７】
2015071950.tif 000009
【図８】
2015071950.tif 000010
【図９】
2015071950.tif 000011
【国際調査報告】
2015071950.tif 000012
2015071950.tif 000013
2015071950.tif 000014
2015071950.tif 000015